(57)【要約】【課題】本発明は、携帯用スクリーン一体型プロジェクタを使用する、ユーザの利便性を向上する。【解決手段】プロジェクタ本体と、スクリーンと、が接続部にて折畳み可能に接続される、携帯用スクリーン一体型プロジェクタであって、プロジェクタ本体は、光源と、光源からの光を変調して、画像を表す画像光を生成する変調部と、変調部によって生成された画像光を、スクリーンに投写する投写光学系と、を備え、携帯用スクリーン一体型プロジェクタが開かれた場合に、投写光学系とスクリーンとの距離である投写距離が、スクリーンの縦の長さよりも短い。【選択図】図１
2010134157.tif 000002
【特許請求の範囲】
【請求項１】
プロジェクタ本体と、スクリーンと、が接続部にて折畳み可能に接続される、携帯用スクリーン一体型プロジェクタであって、
前記プロジェクタ本体は、
光源と、
前記光源からの光を変調して、前記画像を表す画像光を生成する変調部と、
前記変調部によって生成された画像光を、前記スクリーンに投写する投写光学系と、
を備え、
前記携帯用スクリーン一体型プロジェクタが開かれた場合に、前記投写光学系と前記スクリーンとの距離である投写距離が、前記スクリーンの縦の長さよりも短い、携帯用スクリーン一体型プロジェクタ。
【請求項２】
請求項１に記載の携帯用スクリーン一体型プロジェクタにおいて、
前記プロジェクタ本体は、
前記携帯用スクリーン一体型プロジェクタが折畳まれて、前記携帯用スクリーン一体型プロジェクタが携帯される場合に、把持される把持部を備える、携帯用スクリーン一体型プロジェクタ。
【請求項３】
請求項１または２に記載の携帯用スクリーン一体型プロジェクタであって、
前記接続部は、前記携帯用スクリーン一体型プロジェクタが開かれた場合に、前記プロジェクタ本体と前記スクリーンとの角度を、略９０度に固定可能である、携帯用スクリーン一体型プロジェクタ。
【請求項４】
請求項１ないし３のいずれか一つに記載の携帯用スクリーン一体型プロジェクタであって、
前記スクリーンは、透明度が変更可能である、携帯用スクリーン一体型プロジェクタ。
【請求項５】
請求項１ないし３のいずれか一つに記載の携帯用スクリーン一体型プロジェクタであって、
前記スクリーンは、特定の入射角度範囲の光を選択的に反射する、携帯用スクリーン一体型プロジェクタ。
【発明の詳細な説明】
【技術分野】
【０００１】
本発明は、携帯用のスクリーン一体型プロジェクタに関する。
【背景技術】
【０００２】
近年、軽量でサイズが小さく、持ち運び可能なプロジェクタが販売されている。例えば、営業職の人が、顧客の所に、プロジェクタを持参して、プレゼンテーションを行なう場合がある。その場合に、顧客のところに、投写に適した壁面や、スクリーンがないことがある。そのため、プロジェクタと共に、スクリーンも持ち込みたいという要望があった。そこで、プロジェクタとスクリーンを一体化して、携帯可能とする技術が提案されている（例えば、特許文献１、２参照。）。
【０００３】
【特許文献１】特開平５−２２４３００号広報
【特許文献２】特開平１０−３１２０２４号広報
【発明の開示】
【発明が解決しようとする課題】
【０００４】
本発明は、携帯用スクリーン一体型プロジェクタを使用する、ユーザの利便性を向上する技術を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］  プロジェクタ本体と、スクリーンと、が接続部にて折畳み可能に接続される、携帯用スクリーン一体型プロジェクタであって、前記プロジェクタ本体は、光源と、前記光源からの光を変調して、前記画像を表す画像光を生成する変調部と、前記変調部によって生成された画像光を、前記スクリーンに投写する投写光学系と、を備え、前記携帯用スクリーン一体型プロジェクタが開かれた場合に、前記投写光学系と前記スクリーンとの距離である投写距離が、前記スクリーンの縦の長さよりも短い、携帯用スクリーン一体型プロジェクタ。  
【０００７】
本明細書中において、投写光学系は、投写レンズやミラーを備える。例えば、投写レンズのみを備える場合、投写距離は、投写レンズのスクリーン寄りの端とスクリーンとの距離、投写レンズとミラーとを備える場合、ミラーの中心とスクリーンとの距離をいう。
【０００８】
この携帯用スクリーン一体型プロジェクタによれば、投写距離がスクリーンの縦の長さよりも短いため、スクリーンとプロジェクタを一体型にしても、スクリーンに、適度な大きさの画像を投写することができる。
【０００９】
［適用例２］  適用例１に記載の携帯用スクリーン一体型プロジェクタにおいて、前記プロジェクタ本体は、前記携帯用スクリーン一体型プロジェクタが折畳まれて、前記携帯用スクリーン一体型プロジェクタが携帯される場合に、把持される把持部を備える、携帯用スクリーン一体型プロジェクタ。
【００１０】
この携帯用スクリーン一体型プロジェクタによれば、把持部を有するため、ユーザの持ち運びの利便性が向上される。
【００１１】
［適用例３］  適用例１または２に記載の携帯用スクリーン一体型プロジェクタであって、前記接続部は、前記携帯用スクリーン一体型プロジェクタが開かれた場合に、前記プロジェクタ本体と前記スクリーンとの角度を、略９０度に固定可能である、携帯用スクリーン一体型プロジェクタ。
【００１２】
この携帯用スクリーン一体型プロジェクタでは、開かれた場合に、プロジェクタ本体とスクリーンとの角度が略９０度に固定される。そのため、例えば、この携帯用スクリーン一体型プロジェクタを、机上に設置して、スクリーンに投写される画像を鑑賞しやすい。また、プロジェクタ本体において、常に、一定の台形歪み補正パラメータを用いて補正を行えば、スクリーンに、適切に補正された画像が表示される。すなわち、この携帯用スクリーン一体型プロジェクタを用いれば、開けたら、ユーザが台形歪み補正の設定を行なわなくても、台形歪み補正処理済みの画像が、スクリーンに表示されるということが可能になる。その結果、ユーザの利便性が向上される。
【００１３】
［適用例４］  適用例１ないし３のいずれか一つに記載の携帯用スクリーン一体型プロジェクタにおいて、前記スクリーンは、透明度が変更可能である、携帯用スクリーン一体型プロジェクタ。
【００１４】
この携帯用スクリーン一体型プロジェクタによれば、スクリーンの透明度が変更可能であるため、携帯用スクリーン一体型プロジェクタの設置場所、用途、使用環境等に応じて、反射型スクリーンとしても、透過型スクリーンとしても用いることができる。したがって、ユーザは、反射型スクリーンと透過型スクリーンの２種類のスクリーンを備えなくても、両方の特性が利用できるため、便利である。
【００１５】
［適用例５］  適用例１ないし３のいずれか一つに記載の携帯用スクリーン一体型プロジェクタにおいて、前記スクリーンは、特定の入射角度範囲の光を選択的に反射する、携帯用スクリーン一体型プロジェクタ。
【００１６】
この携帯用スクリーン一体型プロジェクタによれば、スクリーンが特定の入射角度範囲の光を選択的に反射するため、例えば、外光を反射せず、プロジェクタ本体から入射される画像光のみを反射する。そのため、ユーザは、高コントラストの画像を鑑賞することができる。
【発明を実施するための最良の形態】
【００１７】
Ａ．実施例：
図１は、本発明の一実施例としての携帯用スクリーン一体型プロジェクタ１０００の構成を概略的に示す説明図である。携帯用スクリーン一体型プロジェクタ１０００は、プロジェクタ本体１００と、スクリーン２００と、接続部３００と、を備える。
【００１８】
携帯用スクリーン一体型プロジェクタ１０００は、図示するように、接続部３００にて折畳み可能に、プロジェクタ本体１００とスクリーン２００とが接続されている。携帯用スクリーン一体型プロジェクタ１０００を使用する場合には、図１に実線で示すように、携帯用スクリーン一体型プロジェクタ１０００を開く。このとき、プロジェクタ本体１００とスクリーン２００との間の角度θは略９０度になる。
【００１９】
一方、携帯用スクリーン一体型プロジェクタ１０００を使用しない場合は、図１に破線で示すように、携帯用スクリーン一体型プロジェクタ１０００を折畳む。本実施例において、携帯用スクリーン一体型プロジェクタ１０００の開閉は、ユーザが手動で行なう構成である。なお、例えば、ユーザが、リモコンや、操作ボタンを操作することによって、携帯用スクリーン一体型プロジェクタ１０００の開閉が制御される構成にしてもよい。
【００２０】
スクリーン２００は、表示部２２０と、枠部２４０と、を備える。本実施例におけるスクリーン２００の画面サイズは、６０インチ(６０型)である。表示部２２０は、透明度を変更可能に構成されている。図２は、表示部２２０の概略構成を示す説明図である。図２(ａ)に示すように、表示部２２０は、液晶シート２１０を、２枚の透明導電シート２１２、２１４で挟み、さらに、板ガラス２１６、２１８で挟んで、構成される。図２（ｂ）に示すように、透明導電シート２１２、２１４間に電圧を印加すると、液晶が電場と平行して配向する。その結果、液晶シート２１０を光が透過する。板ガラス２１８の外面は、例えば拡散層やマイクロレンズアレイなどを配置している。液晶シート２１０を透過した光は、板ガラス２１８に配置されている拡散層やマイクロレンズアレイにより光が拡散され、視認性に富む画像が表示できる。
【００２１】
一方、図２（ｃ）に示すように、透明導電シート２１２、２１４間に電圧を印加しない場合には、液晶が不規則に配列している。その結果、光の大半が反射される（すなわち、表示部２２０が不透明になる。）。このように、表示部２２０は、容易に透明度を変更することができる。したがって、スクリーン２００は、反射型スクリーンとしても、透過型スクリーンとしても、使用することができる。
【００２２】
枠部２４０は、無線ネットワークのアンテナや、映像や音声を送受信するためのＡＶトランスミッタ、レシーバの機能を備える。本実施例において、枠部２４０の材料としては、マグネシウム合金が用いられるが、例えば、カーボンファイバー等の軽量で剛性の高い金属や、樹脂等を用いてもよい。
【００２３】
図３は、携帯用スクリーン一体型プロジェクタ１０００の構成を概略的に示す側面図である。図３は、携帯用スクリーン一体型プロジェクタ１０００を開いた状態を図示している。また、図３では、プロジェクタ本体１００の内部構成の一部を、模式的に図示している。プロジェクタ本体１００は、光源ランプ１０２と、液晶パネル１０４と、投写レンズ部１０６と、ミラー１０８と、筐体１１０と、会議システム部１１２と、把持部１１４と、を備える。
【００２４】
光源ランプ１０２は、液晶パネル１０４に光を照射するものであって、例えば、高圧水銀ランプ、超高圧水銀ランプ等のランプ類や、その他の発光体を備えて構成される。
【００２５】
液晶パネル１０４は、透過型の液晶パネルと液晶パネル駆動部を備え、画像処理部(図示しない)から与えられる画像データに基づいて、光源ランプ１０２から射出された光を変調し、画像を表す画像光を射出する。
【００２６】
投写レンズ部１０６は、複数のレンズを備え（図示しない）、その一部に、焦点距離が短い非球面レンズ（いわゆる、超短焦点レンズ）を用いている。ミラー１０８は、投写レンズ部１０６を透過した画像光を反射して、スクリーン２００上に投写し、この結果、スクリーン２００上に画像が表示される。本実施例では、超短焦点レンズと、ミラー１０８とを組み合わせることにより、投写距離Ｌを短縮している。
【００２７】
携帯用スクリーン一体型プロジェクタ１０００を開いた場合の、ミラー１０８の中心と、スクリーンとの距離（以下、「投写距離Ｌ」という。）は、スクリーン２００の縦方向の長さＨ（短辺の長さ）よりも短い。本実施例では、例えば、投写距離Ｌを３０ｃｍとしている。
【００２８】
筐体１１０は、内部に空間を有する略直方体形状を成す。筐体１１０の内部空間には、上記した光源ランプ１０２、液晶パネル１０４、投写レンズ部１０６、ミラー１０８が配置される。筐体１１０は、携帯用スクリーン一体型プロジェクタ１０００が閉じられた場合に、スクリーン２００と当接する面（以下、「当接面」とも称する。）に、開口部１１６が設けられている。ミラー１０８によって反射された画像光は、開口部１１６を通って、スクリーン２００上に投写される。
【００２９】
会議システム部１１２は、カメラ(図示しない)、マイク（図示しない）、スピーカ（図示しない）等を備える。上記したように、スクリーン２００の枠部２４０は、無線ネットワークのアンテナの機能を備えるため、会議システム部１１２を利用して、例えば、ネットワークを介したテレビ会議システムを構築することができる。また、ＰＬＣ（Ｐｏｗｅｒ  Ｌｉｎｅ  Ｃｏｍｍｕｎｉｃａｔｉｏｎｓ：高速電力線通信）を利用する構成としてもよい。
【００３０】
把持部１１４は、筐体１１０と一体的に形成される。携帯用スクリーン一体型プロジェクタ１０００を閉じた場合に、スクリーン２００との間に隙間ができるように構成され、ユーザは、その隙間に指を出すことによって、好適に把持部１１４を把持することができる。
【００３１】
本実施例において、プロジェクタ本体１００の筐体１１０、把持部１１４等は、携帯性を考慮して、マグネシウム合金を用いて軽量化されている。その他、例えば、カーボンファイバー等の軽量で剛性の高い金属や、樹脂等を用いてもよい。
【００３２】
接続部３００は、プロジェクタ本体１００とスクリーン２００とを、互いの間の角度θが略０度と略９０度との間で回動可能に接続する。接続部３００は、プロジェクタ本体１００とスクリーン２００との間の角度θが、略０度（携帯用スクリーン一体型プロジェクタ１０００が折畳まれた状態）と、略９０度（携帯用スクリーン一体型プロジェクタ１０００が開かれた状態）とに固定され、それ以外の角度には固定されないように構成されている。
【００３３】
図４は、ユーザが、携帯用スクリーン一体型プロジェクタ１０００を携帯した場合の一例を示す図である。ユーザは、携帯用スクリーン一体型プロジェクタ１０００を携帯する場合、携帯用スクリーン一体型プロジェクタ１０００を折畳む。本実施例の携帯用スクリーン一体型プロジェクタ１０００において、把持部１１４は、筐体１１０の接続部３００と接続される側と対向する側に配置されている。そして、携帯用スクリーン一体型プロジェクタ１０００を折畳んだ場合に、スクリーン２００の短辺の長さの真ん中辺に配置される。そのため、プロジェクタ本体１００の把持部１１４を把持すると、丁度６０インチのスクリーン２００を脇に抱え込む形となるため、容易に、携帯用スクリーン一体型プロジェクタ１０００を、安定して持ち運びすることができる。
【００３４】
図５は、本実施例の携帯用スクリーン一体型プロジェクタ１０００の使用状態の例を示す図である。図５（Ａ）は、携帯用スクリーン一体型プロジェクタ１０００を机上に設置した場合を例示している。本実施例では、携帯用スクリーン一体型プロジェクタ１０００が開かれると、プロジェクタ本体１００とスクリーン２００との間の角度θが略９０度の位置に固定される。そのため、携帯用スクリーン一体型プロジェクタ１０００を机上に設置して使用する場合には、机の面とスクリーン２００との角度が略９０度になる。そのため、図５（Ａ）に示すように、ユーザが机の周りに座って、スクリーン２００に投写される映像を観る場合に観易い。
【００３５】
図５（Ｂ）は、携帯用スクリーン一体型プロジェクタ１０００を天吊り設置した場合を例示している。携帯用スクリーン一体型プロジェクタ１０００を天吊り設置した場合にも、携帯用スクリーン一体型プロジェクタ１０００が開かれると、プロジェクタ本体１００とスクリーン２００との間の角度θが略９０度の位置に固定されるため、ユーザがスクリーン２００に投写される映像を観る場合に観易い。
【００３６】
以上説明したように、本実施例の携帯用スクリーン一体型プロジェクタ１０００では、投写レンズ部１０６に超短焦点レンズを用いると共に、ミラー１０８を備えることによって、投写距離Ｌをスクリーン２００の縦の長Ｈさよりも短くすることができる。そのため、プロジェクタ本体１００を、小型・軽量化することができ、スクリーン２００と一体化して、携帯可能にすることができる。
【００３７】
超短焦点レンズや、ミラー１０８を用いて、投写距離Ｌを短縮している場合には、台形歪み補正を自動的に行なうのが困難である。そのため、ユーザが、補正パラメータを入力し、画像を確認する作業を繰り返し行なって、手動で台形歪み補正を行う場合が多い。例えば、投写距離が短い、スクリーン一体型プロジェクタにおいて、プロジェクタ本体とスクリーンとの角度を自由に変更できる構成にすると、ユーザがスクリーン一体型プロジェクタを用いるたびに、手動で台形歪み補正を行わなければならないため、手間と時間がかかる。
【００３８】
これに対して、携帯用スクリーン一体型プロジェクタ１０００は、開いた場合には、プロジェクタ本体１００とスクリーン２００との間の角度θが、略９０度に固定される。その結果、携帯用スクリーン一体型プロジェクタ１０００を開いて使用する場合には、スクリーン２００と光軸の角度が常に一定に保たれる。したがって、プロジェクタ本体１００において、台形歪み補正を行う場合には、予め定められた補正パラメータに基づいて、台形歪み補正を行えば、常に、良好に補正された画像が投写される。そのため、ユーザが、携帯用スクリーン一体型プロジェクタ１０００を使用する度に、台形歪み補正のパラメータの設定を行う必要がなくなる。本実施例において、角度θは、台形歪み補正の補正パラメータを変更しなくても、良好に補正された画像が投写される程度の誤差（例えば、９０±５度）を含む。
【００３９】
例えば、携帯用スクリーン一体型プロジェクタ１０００を用いて、プレゼンテーションを行なう場合には、ユーザは、携帯用スクリーン一体型プロジェクタ１０００を開けば、台形歪み補正の調整を行なうことなく、すぐに、プレゼンテーションを開始することができるため、ユーザの利便性が向上する。
【００４０】
また、本実施例の携帯用スクリーン一体型プロジェクタ１０００におけるスクリーン２００は、透明／不透明を変更することができる。すなわち、スクリーン２００は、透過型スクリーンとしても、反射型スクリーンとしても、機能する。ユーザは、携帯用スクリーン一体型プロジェクタ１０００の設置場所の広さ、視聴人数、使用目的等に応じて、透過型スクリーンと反射型スクリーンとを使い分ける場合がある。通常、ユーザは、透過型スクリーンと反射型スクリーンの２つを所有して、状況に応じて使い分ける必要がある。
【００４１】
これに対して、本実施例の携帯用スクリーン一体型プロジェクタ１０００を１つ所有すれば、状況に応じて、透過型スクリーン／反射型スクリーンを切り替えればよい。したがって、ユーザの費用負担や、２つのスクリーンを所有する煩わしさを軽減することができる。
【００４２】
また、本実施例における携帯用スクリーン一体型プロジェクタ１０００では、プロジェクタ本体１００が把持部１１４を備える。そのため、携帯用スクリーン一体型プロジェクタ１０００を、折畳んだ場合に、ユーザは、把持部１１４を把持して、容易に携帯用スクリーン一体型プロジェクタ１０００を持ち運ぶことができる。
【００４３】
また、本実施例では、携帯用スクリーン一体型プロジェクタ１０００を折畳んだ場合に、プロジェクタ本体１００の筐体１１０とスクリーン２００とが当接して、スクリーン２００によって、筐体１１０に設けられた開口部１１６が塞がれる。したがって、携帯用スクリーン一体型プロジェクタ１０００が使用されない場合には、スクリーン２００が開口部１１６を封止する蓋の役割を果たす。その結果、投写レンズ部１０６やミラー１０８に埃が付着したり、傷が生じる可能性を低減することができる。
【００４４】
Ｂ．変形例
なお、本発明は上記した実施例に限られるものではなく、その要旨を逸脱しない範囲において種々の態様にて実施することが可能である。
【００４５】
（１）上記した実施例において、透明度が変更可能なスクリーン２００を用いているが、スクリーンは、上記した実施例に限定されない。例えば、反射型スクリーンを用いてもよいし、透過型スクリーンを用いてもよい。また、特定の入射角度範囲の光を選択的に反射する、いわゆる、高コントラストスクリーンを用いてもよい。例えば、図５（Ａ）に示すように、机上に携帯用スクリーン一体型プロジェクタ１０００を設置する場合に、プロジェクタ本体１００から射出される画像光は、スクリーン２００に対して下側から入射し、外光（電灯の光等）は、上側から入射する。このような場合に、例えば、下側から入射する光を選択的に反射する、高コントラストスクリーンを用いれば、高コントラストの画像を得ることができる。
【００４６】
（２）また、スクリーン２００は、取り外し可能に構成してもよい。このようにすると、補修を行なう際の利便性が向上される。また、スクリーンの透明度を変更できない場合には、反射型スクリーンと透過型スクリーンとを、交換することができる。
【００４７】
（３）上記した実施例では、超短焦点レンズとミラーとを組み合わせることによって、投写距離の短縮を図っているが、例えば、超短焦点レンズのみ、球面レンズとミラーとの組合せ等によって、投写距離を短縮する構成にしてもよい。
【００４８】
（４）上記した実施例において、プロジェクタ本体１００とスクリーン２００とは、略９０度に固定される構成を例示したが、略９０度に限定されず、他の角度に固定される構成にしてもよい。例えば、図５に示すように、携帯用スクリーン一体型プロジェクタ１０００を机上に設置する場合と、天吊り設置する場合とでは、ユーザがスクリーン２００に投写される映像を観賞するのに適切な角度θが異なる可能性がある。そのため、例えば、机上に設置する場合には９０度、天吊り設置にする場合には１００度に固定されるようにしてもよい。
【００４９】
また、例えば、８０度、９０度、１００度等、予め定められた複数の角度に固定可能に構成してもよい。プロジェクタ本体１００において、それぞれの角度における台形歪み補正パラメータを予め用意すれば、ユーザは、使用する角度に応じて、台形歪み補正のパラメータを選択することにより、容易に、台形歪み補正がなされた画像を得ることができる。さらに、プロジェクタ本体１００とスクリーン２００との角度を自由に設定できる構成にしてもよい。
【００５０】
（５）上記した実施例では、スクリーン２００がプロジェクタ本体１００の開口部１１６を封止する蓋の役割を果たす構成を例示したが、例えば、開口部１１６を封止するためのシャッタを備える構成にしてもよい。また、投写レンズ部１０６に蓋を被せる構成にしてもよい。
【００５１】
（６）上記した実施例では、プロジェクタ本体１００がスクリーン２００の短辺の長さの真ん中辺に把持部１１４を備える構成を例示したが、把持部の位置は当該位置以外にあってもよく、また、携帯用スクリーン一体型プロジェクタ１０００は、把持部１１４を備えない構成であってもよい。
【図面の簡単な説明】
【００５２】
【図１】本発明の一実施例としての携帯用スクリーン一体型プロジェクタ１０００の構成を概略的に示す説明図である。
【図２】表示部２２０の概略構成を示す説明図である。
【図３】携帯用スクリーン一体型プロジェクタ１０００の構成を概略的に示す側面図である。
【図４】ユーザが携帯用スクリーン一体型プロジェクタ１０００を携帯した場合の一例を示す図である。
【図５】本実施例の携帯用スクリーン一体型プロジェクタ１０００の使用状態の例を示す図である。
【符号の説明】
【００５３】
１００…プロジェクタ本体、１０２…光源ランプ、１０４…液晶パネル、１０６…投写レンズ部、１０８…ミラー、１１０…筐体、１１２…会議システム部、１１４…把持部、１１６…開口部、２００…スクリーン、２１０…液晶シート、２１２…透明導電シート、２１６…板ガラス、２２０…表示部、２４０…枠部、３００…接続部、１０００…携帯用スクリーン一体型プロジェクタ
【図１】
2010134157.tif 000003
【図２】
2010134157.tif 000004
【図３】
2010134157.tif 000005
【図４】
2010134157.tif 000006
【図５】
2010134157.tif 000007